(57)【要約】【課題】アナログレコードプレーヤと同様にオーディオデータの再生時間を確認することなくスクラッチ再生等の特殊再生を行う位置の検索をすることができるとともに、短時間で特殊再生を開始することができる光ディスク再生装置を提供する。【解決手段】読取部が読み取ったオーディオデータを記憶する記憶部と、定められた区間を移動する操作ノブ部と、前記操作ノブ部を移動させる駆動部を備えたスライドボリュウム部と、前記記憶部から読み出されるオーディオデータの再生時間に応じて前記操作ノブ部が定められた区間を移動するように前記駆動部を制御する制御部とを備える。【選択図】  図１
2005011421.tif 000002
【特許請求の範囲】
【請求項１】
光ディスクに記録されたオーディオデータを読み取る読取部と、前記読取部が読み取ったオーディオデータを記憶する記憶部と、前記記憶部に記憶されたオーディオデータをアナログオーディオ信号に変換して出力する出力部とを備えた光ディスク再生装置において、
定められた区間を移動する操作ノブ部と、前記操作ノブ部を駆動する駆動部を備えたスライドボリュウム部と、
前記記憶部から読み出されるオーディオデータの再生時間に応じて前記操作ノブ部が前記定められた区間内を移動するように前記駆動部を制御する制御部とを備えることを特徴とする光ディスク再生装置。
【請求項２】
請求項１記載の光ディスク再生装置において、
前記制御部は、前記記憶部から１トラックのオーディオデータが読み出されるとき、前記駆動部に前記定められた区間の開始位置から終了位置へ前記操作ノブ部を移動させる制御と、前記記憶部から全トラックのオーディオデータが読み出されるとき、前記駆動部に前記定められた区間の開始位置から終了位置へ前記操作ノブ部を移動させる制御とを切り換える切換手段を備えることを特徴とする光ディスク再生装置。
【請求項３】
請求項１又は請求項２記載の光ディスク再生装置において、
前記制御部は、前記操作ノブ部が移動したとき、前記読取部に前記操作ノブ部の位置に対応する再生時間からオーディオデータを読み取る制御をすることを特徴とする光ディスク再生装置。
【発明の詳細な説明】
【０００１】
【発明の属する技術分野】
本発明は、光ディスクに記録されたオーディオデータを再生する光ディスク再生装置に関する。
【０００２】
【従来の技術】
光ディスク再生装置を操作してオーディオデータを再生するディスクジョッキー（Ｄｉｓｃ  Ｊｏｃｋｅｙ，以下、ＤＪという。）は、アナログレコード又はコンパクトディスク（Ｃｏｍｐａｃｔ  Ｄｉｓｃ，以下、ＣＤという。）等の光ディスクに記録されたオーディオデータを再生している最中に、すれ音のような効果音を発生させるスクラッチ再生と呼ばれる特殊再生を行うことがある。ＤＪは、アナログレコードプレーヤを用いてスクラッチ再生を行う場合、アナログレコードを素早く時計回り方向又は反時計回り方向に回すことにより擦れ音を発生させる。また、このアナログレコードプレーヤによるスクラッチ再生と同様の特殊再生を行うことが可能なＤＪ用ＣＤプレーヤがある。このＤＪ用ＣＤプレーヤは、ジョグダイヤルとメモリを備え、ＣＤから再生したオーディオデータをメモリに記憶し、ジョグダイヤルを時計回り方向又は反時計回り方向に回転することにより、メモリに記憶されたオーディオデータの読み出し速度と読み出し順序を制御し、アナログレコードによる擦れ音と同等の効果音を発生させる。このように、ＤＪは、ＣＤに記録されたオーディオデータを再生しているとき、ジョグダイヤルをアナログレコードと同じように回転操作することにより、アナログレコードと同様のスクラッチ再生等の特殊再生を行うことができる。（例えば、特許文献１参照。）
【０００３】
上述したようなＤＪ用ＣＤプレーヤを用いて、ＣＤに記録されたあるトラック（例えば、１０トラックのうち第３トラック）を検索する場合、ＤＪは、トラック検索ボタン等を押す。また、オーディオデータをフレーム単位で検索する場合、ＤＪは、ジョグダイヤルを回転操作する。例えば、ジョグダイヤルを時計回り方向に回転操作すると、オーディオデータの再生時間は、ジョグダイヤルが１回転する毎に１フレーム進み、ジョグダイヤルを反時計回り方向に回転操作すると、オーディオデータの再生時間は、ジョグダイヤルが１回転する毎に１フレーム戻る。
【０００４】
【特許文献１】
特開２００１−３１２８５７号公報
【０００５】
【発明が解決しようとする課題】
通常、ＤＪは、スクラッチ再生等の特殊再生を行う位置を予め決めておく。アナログレコードプレーヤを用いてスクラッチ再生等の特殊再生を行う場合、ＤＪは、予めアナログレコードのスクラッチ再生等の特殊再生を行う位置にシールを貼っておくことにより、シールが貼られた位置を確認してレコード針を移動することができるため、短時間で予め決めておいた再生位置からスクラッチ再生等の特殊再生を開始することができる。これに対して、従来のＤＪ用ＣＤプレーヤを用いてスクラッチ再生等の特殊再生を行う位置を検索する場合、ＤＪは、ＣＤにシールを貼ることができない。このため、ＤＪは次の操作を行う。先ずＤＪ用ＣＤプレーヤのトラック検索ボタンを操作して目的のトラックの先頭位置を検索する。そして、その位置からジョグダイヤルを回転操作することにより、表示部に表示されたトラックのオーディオデータの再生時間（分、秒、フレーム）を確認しながら、予め決めておいた再生位置を検索する。したがって、ＤＪは、予め決めておいた再生位置からスクラッチ再生等の特殊再生を開始するために、トラック検索ボタンの操作及びジョグダイヤルの操作という２つの操作をしなければならない。このため、従来のＤＪ用ＣＤプレーヤでは、再生位置を検索する操作がアナログレコードプレーヤにおける操作と異なるので、スクラッチ再生等の特殊再生を開始するまでに要する時間が長くなるという課題がある。
【０００６】
本発明は、上記の課題を解決するためになされたものであり、アナログレコードプレーヤと同様に、表示部に表示されたオーディオデータの再生時間（分、秒、フレーム）を確認することなくスクラッチ再生等の特殊再生を行う位置の検索をすることができるとともに、短時間で特殊再生を開始することができる光ディスク再生装置を提供することを目的とする。
【０００７】
【課題を解決する手段】
上記の課題を解決するために、本願の請求項１記載の発明は、光ディスクに記録されたオーディオデータを読み取る読取部と、前記読取部が読み取ったオーディオデータを記憶する記憶部と、前記記憶部に記憶されたオーディオデータをアナログオーディオ信号に変換して出力する出力部とを備えた光ディスク再生装置において、定められた区間を移動する操作ノブ部と、前記操作ノブ部を駆動する駆動部を備えたスライドボリュウム部と、前記記憶部から読み出されるオーディオデータの再生時間に応じて前記操作ノブ部が前記定められた区間内を移動するように前記駆動部を制御する制御部とを備えることを特徴とする。
【０００８】
また、本願の請求項２記載の発明は、請求項１記載の光ディスク再生装置において、前記制御部は、前記記憶部から１トラックのオーディオデータが読み出されるとき、前記駆動部に前記定められた区間の開始位置から終了位置へ前記操作ノブ部を移動させる制御と、前記記憶部から全トラックのオーディオデータが読み出されるとき、前記駆動部に前記定められた区間の開始位置から終了位置へ前記操作ノブ部を移動させる制御とを切り換える切換手段を備えることを特徴とする。
【０００９】
また、本願の請求項３記載の発明は、請求項１又は請求項２記載の光ディスク再生装置において、前記制御部は、前記操作ノブ部が移動したとき、前記読取部に前記操作ノブ部の位置に対応する再生時間からオーディオデータを読み取る制御をすることを特徴とする。
【００１０】
【発明の実施の形態】
以下、本発明の実施の形態を図面に基づいて説明する。
図１は、本発明の一実施例である光ディスク再生装置の構成を示すブロック図である。図１において、１はターンテーブル、２はスピンドルモータ、３はサーボ制御部、４は光ピックアップ、５は再生アンプ、６は信号処理部、７はメモリ制御部、８はランダムアクセスメモリ（Ｒａｎｄｏｍ  Ａｃｃｅｓｓ  Ｍｅｍｏｒｙ，以下、ＲＡＭという。）、９はデジタルアナログ変換部（Ｄｉｇｉｔａｌ  ｔｏ  Ａｎａｌｏｇ  Ｃｏｎｖｅｒｔｅｒ，以下、ＤＡＣという。）、１０は増幅部、１１は出力端子、１２は制御部、１３は表示部、１４は操作部、１５はスライドボリュウム部、１６は操作ノブ、１７はモータ、１８は可変抵抗部を示す。本発明の一実施例である光ディスク再生装置は、操作部１４にジョグダイヤル部を備え、ジョグダイヤル部の回転速度及び回転方向に応じて、ＣＤから再生しＲＡＭ８に記憶されたデジタルオーディオデータの読み出し速度及び読み出し順序を変えることができるＤＪ用のＣＤプレーヤである。
【００１１】
スピンドルモータ２に取り付けられたターンテーブル１は、ＣＤを固定する。後述する操作部１４の再生ボタンから再生開始の指示が入力されると、サーボ制御部３は、スピンドルモータ２を所定の線速度で回転駆動させる制御をする。また、サーボ制御部３は、光ピックアップ４からのレーザ光をＣＤのピット列を正しくトレースするために、図示しないフォーカスサーボ回路とトラッキングサーボ回路を制御する。
【００１２】
光ピックアップ４が読み取ったデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。また、ＣＤから読み取ったＴＯＣ（Ｔａｂｌｅ  Ｏｆ  Ｃｏｎｔｅｎｔｓ）情報は、制御部１２に内蔵する記憶部に記憶される。
【００１３】
メモリ制御部７は、入力されたデジタルオーディオデータをＲＡＭ８に入力するよう制御する。ＲＡＭ８は、メモリ制御部７の制御によりデジタルオーディオデータを記憶する。ＲＡＭ８が記憶したデジタルオーディオデータは、メモリ制御部７の制御により読み出されＤＡＣ９に入力される。
【００１４】
ＤＡＣ９は、デジタルオーディオデータをアナログオーディオ信号に変換し増幅部１０に入力する。ＤＡＣ９から入力されたアナログオーディオ信号は、増幅部１０により増幅される。増幅部１０により増幅されたアナログオーディオ信号は、出力端子１１に接続したスピーカ等から楽音として出力される。
【００１５】
表示部１３は、メモリ制御部７の制御によりＲＡＭ８から読み出されたオーディオデータの再生時間（分、秒、フレーム）、トラックナンバー等を表示する。操作部１４は、再生ボタン、再生停止ボタン、トラック検索ボタン、イジェクトボタン、後述する切換ボタン、ジョグダイヤル部を備えている。
【００１６】
図２は、本発明の一実施例であるＣＤプレーヤが備えるスライドボリュウム部１５を説明する図である。
制御部１２に接続されたスライドボリュウム部１５は、操作ノブ１６、モータ（駆動部）１７及び抵抗値が変化する可変抵抗部１８を備えている。モータ１７は、オーディオデータが再生されている間、制御部１２の制御により操作ノブ１６を開始位置線２１から終了位置線２２の区間内を移動させる。制御部１２は、１トラックの再生毎に、操作ノブ１６が開始位置線２１から終了位置線２２の区間を移動（以下、１トラック移動という。）するようにモータ１７を制御する。または、全トラックを再生するとき、操作ノブ１６が開始位置線２１から終了位置線２２の区間を移動（以下、全トラック移動という。）するようにモータ１７を制御する。制御部１２は、操作部１４の切換ボタンにより、「１トラック移動」と「全トラック移動」との制御を切り換える。
【００１７】
可変抵抗部１８は、操作ノブ１６と電気的に接続されている。この可変抵抗部１８の抵抗値は、操作ノブ１６の位置に応じて変化する。可変抵抗部１８に一定の値の電圧が加えられると、制御部１２に可変抵抗部１８の抵抗値に対応した電圧が入力される。例えば、抵抗値が０Ω〜１０ｋΩの範囲で変化する可変抵抗部１８を用いた場合において、操作ノブ１６の位置が開始位置線２１のときは、可変抵抗部１８の抵抗値を０Ωとし、操作ノブ１６の位置が中間位置線２３のときは、可変抵抗部１８の抵抗値を５ｋΩとし、操作ノブ１６の位置が終了位置線２２のときは、可変抵抗部１８の抵抗値を１０ｋΩとする。このようにして可変抵抗部１８の抵抗値と操作ノブ１６の位置を対応づけることにより、制御部１２は、可変抵抗部１８から入力される電圧の値から操作ノブ１６の位置を判別することができる。
【００１８】
指示線２４は、開始位置線２１から中間位置線２３の区間内及び中間位置線２３から終了位置線２２の区間内で等間隔に設けられた複数の線である。図２に示す指示線２４は、開始位置線２１から中間位置線２３の区間内及び中間位置線２３から終了位置線２２の区間内を１０等分するように設けられている。開始位置線２１、終了位置線２２、中間位置線２３及び指示線２４は、本実施例のＣＤプレーヤの上面のパネルに印刷されている。また、スライドボリュウム部１５は、上面のパネルに配置されている。
【００１９】
図３は、本発明の一実施例であるＣＤプレーヤの操作部１４が備えるジョグダイヤル部の側断面を示す図である。図３において、３１は、ジョグダイヤル、３２はスケール部、３３は回転軸、３４はスリット部、３５は光センサ部、３６は上面パネルを示す。本実施例のＣＤプレーヤでは、ジョグダイヤル３１は、直径１０ｃｍ〜３０ｃｍのアナログレコードと同等の大きさであり、ＣＤプレーヤの上面パネル３６に取り付けられている。
【００２０】
ジョグダイヤル３１及びスケール部３２は、回転軸３３に固定されている。このため、ジョグダイヤル３１が回転操作されると、ジョグダイヤル３１及びスケール部３２は、一体的に回転する。ジョグダイヤル３１の回転状態を検出するためのスケール部３２の外周部には、等間隔に長方形状のスリット部３４が設けられている。スケール部３２の材質が金属の場合、スリット部３４は、長方形状の開口部にする。しかし、開口部の形状は、長方形に限られるものではなく、適宜の形状でよい。また、スケール部３２として材質が透明又は半透明のプラスチックなどが用いられている場合は、スリット部３４を印刷によって形成する。この場合、スリット部３４の印刷塗料にカーボンを含ませると、光センサ部３５によるスリット部３４を検出する精度が向上する。
【００２１】
光センサ部３５は、ジョグダイヤル３１と一体的に回転するスケール部３２の回転方向を検出するために、２つの光センサを備え、スリット部３４を検出できる位置に取り付けられている。光センサ部３５は、スリット部３４を検出すると、ジョグダイヤル３１の回転状態（回転角度及び回転方向）に応じたパルス信号を発生し、制御部１２に入力する。制御部１２は、光センサ部３５から入力されるパルス信号に応じて、ＲＡＭ８に記憶されたデジタルオーディオデータの読み出す速度及び方向を判別しメモリ制御部７を制御する。メモリ制御部７は、ＲＡＭ８に記憶されたデジタルオーディオデータの読み出し速度及び読み出し順序（オーディオデータを昇順アドレスで読み出す又は降順で読み出す）を制御する。
【００２２】
本実施例のＣＤプレーヤのオーディオデータ再生時におけるスライドボリュウム部１５の操作について説明する。ＤＪは、操作部１４の切換ボタンを押すことにより、制御部１２がモータ１７にする制御を上述した「１トラック再生」又は「全トラック再生」に切り換える。ここで、本実施例では、スライドボリュウム部１５は、抵抗値が０Ω〜１０ｋΩの範囲で変化する可変抵抗部１８を備え、操作ノブ１６が開始位置線２１、中間位置線２３及び終了位置線２２に位置するときの可変抵抗部１８の抵抗値は、それぞれ０Ω、５ｋΩ及び１０ｋΩとする。
【００２３】
まず、制御部１２の制御を「１トラック再生」に切り換えた場合について説明する。制御部１２は、内蔵する記憶部に記憶されたＴＯＣ情報から再生するトラックの再生時間を１フレーム毎にスライドボリュウム部１５の可変抵抗部１８の抵抗値と対応するように割り当てる。トラックの再生時間が４分００秒００フレームである場合、可変抵抗部１８の抵抗値が０Ω（操作ノブ１６の位置が開始位置線２１）に対応する再生時間は、０分００秒００フレームとなる。可変抵抗部１８の抵抗値が５ｋΩ（操作ノブ１６の位置が中間位置線２３）に対応する再生時間は、２分００秒００フレームとなる。可変抵抗部１８の抵抗値が１０ｋΩ（操作ノブ１６の位置が終了位置線２２）に対応する再生時間は、４分００秒００フレームとなる。また、各指示線２４は、開始位置線２１から１２秒間隔の再生時間が割り当てられる。
【００２４】
操作ノブ１６は、トラックの再生を開始するとき、開始位置線２１に位置している。トラックの再生を開始すると、制御部１２は、操作ノブ１６が開始位置線２１から終了位置線２２の方向に移動を開始するようにモータ１７を制御する。このとき、制御部１２は、操作ノブ１６の位置（可変抵抗部１８の抵抗値）に対応して割り当てた再生時間とＲＡＭ８から読み出されたオーディオデータの再生時間とが一致するように、モータ１７に操作ノブ１６を移動させる制御をする。このオーディオデータの再生時間は、制御部１２がオーディオデータから分離したサブコードに含まれるトラックの経過時間情報から検出する。トラックの再生が終了するとき、制御部１２は、操作ノブ１６が終了位置線２２に移動するようにモータ１７を制御する。トラックの再生が終了すると、制御部１２は、操作ノブ１６が開始位置線２１に戻るようにモータ１７を制御する。通常、ＣＤには、トラックとトラックの間に２秒間〜３秒間の無音部が記録されているため、この無音部を再生している間に操作ノブ１６が開始位置線２１に戻るようにする。制御部１２は、ＣＤの再生が終了するまで、上述した制御をトラック毎に繰り返す。
【００２５】
上述の実施例におけるＣＤプレーヤにおいて、操作ノブ１６は、再生しているトラック内の再生位置を示している。このため、ＤＪは、現在再生しているトラック内の再生位置を操作ノブ１６の位置から確認することができる。ＤＪは、操作ノブ１６の位置からトラック内の再生位置を確認し、操作ノブ１６を移動させることによりスクラッチ再生等の特殊再生を行う位置を検索する。ＤＪが操作ノブ１６を移動させると、制御部１２は、ＲＡＭ８に記憶されているオーディオデータを消去するようにメモリ制御部７を制御する。そして、移動された操作ノブ１６の位置に対応するトラックの経過時間が記録された位置に光ピックアップ４を移動させて、オーディオデータの読み出しを開始する制御をする。光ピックアップ４により読み出されたオーディオデータは、ＲＡＭ８に記憶され、ＤＡＣ９によりオーディオ信号に変換されて出力部１１から出力される。ＤＪは、スクラッチ再生等の特殊再生を行う位置にシールを予め指示線２４に貼り、操作ノブ１６をシールの貼られた位置に移動させることにより、アナログレコードプレーヤと同様の操作をすることができ、検索時間を短くすることができる。
【００２６】
つぎに、制御部１２の制御を「全トラック再生」に切り換えた場合について説明する。制御部１２は、内蔵する記憶部に記憶されたＴＯＣ情報からＣＤに記録された全トラックの再生時間を１フレーム毎にスライドボリュウム１５の可変抵抗部１８の抵抗値と対応するように割り当てる。ＣＤに記録された全トラックの再生時間が４０分００秒００フレームである場合、可変抵抗部１８の抵抗値が０Ω（操作ノブ１６の位置が開始位置線２１）に対応する再生時間は、０分００秒００フレームとなる。可変抵抗部１８の抵抗値が５ｋΩ（操作ノブ１６の位置が中間位置線２３）に対応する再生時間は、２０分００秒００フレームとなる。可変抵抗部１８の抵抗値が１０ｋΩ（操作ノブ１６の位置が終了位置線２２）に対応する再生時間は、４０分００秒００フレームとなる。また、各指示線２４は、開始位置線２１から２分間隔の再生時間が割り当てられる。
【００２７】
操作ノブ１６は、ＣＤの再生を開始するとき、開始位置線２１に位置している。ＣＤの再生を開始すると、制御部１２は、操作ノブ１６が開始位置線２１から終了位置線２２の方向に移動を開始するようにモータ１７を制御する。このとき、制御部１２は、操作ノブ１６の位置（可変抵抗部１８の抵抗値）に対応して割り当てた再生時間とＲＡＭ８から読み出されたオーディオデータの再生時間とが一致するように、モータ１７に操作ノブ１６を移動させる制御をする。このオーディオデータの再生時間は、制御部１２がオーディオデータから分離したサブコードに含まれる絶対時間情報から検出する。ＣＤに記録された全トラックの再生が終了するとき、制御部１２は、操作ノブ１６が終了位置線２２に移動するようにモータ１７を制御する。ＣＤに記録された全トラックの再生が終了すると、制御部１２は、操作ノブ１６が開始位置線２１に戻るようにモータ１７を制御する。
【００２８】
上述の実施例におけるＣＤプレーヤにおいて操作ノブ１６は、再生しているＣＤの再生位置を示している。このため、ＤＪは、現在再生しているＣＤに記録されたトラックの再生位置を操作ノブ１６の位置から確認することができる。ＤＪは、操作ノブ１６の位置からＣＤ内の再生位置を確認し、操作ノブ１６を移動させることによりスクラッチ再生等の特殊再生を行う位置を検索する。ＤＪが操作ノブ１６を移動させると、制御部１２は、ＲＡＭ８に記憶されているオーディオデータを消去するようにメモリ制御部７を制御する。そして、移動された操作ノブ１６の位置に対応する絶対時間が記録された位置に光ピックアップ４を移動させて、オーディオデータの読み出しを開始する制御をする。光ピックアップ４により読み出されたオーディオデータは、ＲＡＭ８に記憶され、ＤＡＣ９によりオーディオ信号に変換されて出力部１１から出力される。ＤＪは、スクラッチ再生等の特殊再生を行う位置にシールを予め指示線２４に貼り、操作ノブ１６をシールの貼られた位置に移動させることにより、アナログレコードプレーヤと同様の操作をすることができ、検索時間を短くすることができる。
【００２９】
【発明の効果】
本発明によれば、アナログレコードプレーヤと同様に、表示部に表示されたオーディオデータの再生時間（分、秒、フレーム）を確認することなくスクラッチ再生等の特殊再生を行う位置の検索をすることができるとともに、短時間で特殊再生を開始することができる光ディスク再生装置を提供することができる。
【図面の簡単な説明】
【図１】本発明の一実施例であるＣＤプレーヤの構成を示すブロック図。
【図２】本発明の一実施例であるＣＤプレーヤが備えるスライドボリュウム部１５を説明する図。
【図３】本発明の一実施例であるＣＤプレーヤが備えるジョグダイヤル部の構成を示す図。
【符号の説明】
１…ターンテーブル、２…スピンドルモータ、３…サーボ制御部、４  …光ピックアップ、５…再生アンプ、６…信号処理部、７…メモリ制御部、８…ＲＡＭ、９…ＤＡＣ、１０…増幅部、１１…出力端子、１２…制御部、１３…表示部、１４…操作部、１５…スライドボリュウム部、１６…操作ノブ、１７…モータ、１８…可変抵抗部、２１…開始位置線、２２…終了位置線、２３…中間位置線、２４…指示線、３１…ジョグダイヤル、３２…スケール部、３３…回転軸、３４…スリット部、３５…光センサ部、３６…上面パネル
【図１】
2005011421.tif 000003
【図２】
2005011421.tif 000004
【図３】
2005011421.tif 000005